(57)【特許請求の範囲】
【請求項１】
少なくとも１つの基地局を含む無線通信システムにおける移動局であって、
前記基地局から送信される第１及び第２の情報ストリーム並びに管理命令を受信する受信手段と、
それぞれ独立する前記第１の情報ストリームと前記第２の情報ストリームを、前記管理命令に従って同期させて提示する同期提示手段と、を備え、
前記受信手段は、前記第１及び第２の情報ストリーム並びに前記管理命令が付与された電子メールを受信することを特徴とする移動局。
【請求項２】
前記同期提示手段は、前記電子メールの開封に応答し、その電子メールに付与された管理命令に従って、前記第１の情報ストリームと第２の情報ストリームを同期させて提示することを特徴とする請求項１に記載の移動局。
【請求項３】
前記同期提示手段は、前記管理命令に基づいて遅延時間及び提示継続時間を設定し、その設定した遅延時間及び提示継続時間に従って、前記第１の情報ストリームと前記第２の情報ストリームとを同期させることを特徴とする請求項１に記載の移動局。
【請求項４】
少なくとも１つの基地局を含む無線通信システムにおける移動局であって、
前記基地局から送信される第１及び第２の情報ストリーム並びに管理命令を受信する受信手段と、
それぞれ独立する前記第１の情報ストリームと前記第２の情報ストリームを、前記管理命令に従って同期させて提示する同期提示手段と、を備え、
前記同期提示手段は、前記管理命令に基づいて遅延時間及び提示継続時間を設定し、その設定した遅延時間及び提示継続時間に従って、前記第１の情報ストリームと前記第２の情報ストリームとを同期させることを特徴とする移動局。
【請求項５】
前記受信手段によって受信された第１及び第２の情報ストリーム並びに管理命令を記憶する記憶手段を備え、
前記同期提示手段は、前記記憶手段にアクセスし、その記憶手段に記憶された前記第１の情報ストリームと前記第２の情報ストリームを、前記管理命令に従って同期させて提示することを特徴とする請求項１または４に記載の移動局。
【請求項６】
前記受信手段によって受信された第２の情報ストリームを記憶する記憶手段を備え、
前記同期提示手段は、前記受信手段によって受信された第１の情報ストリームと前記記憶手段から受け取った第２の情報ストリームとを、前記管理命令に従って同期させて提示することを特徴とする請求項１または４に記載の移動局。
【発明の詳細な説明】
【技術分野】
【０００１】
本発明は、移動局、より詳細にはマルチメディアメッセージ通信の同期提示を行う移動局（受信機）に関する。
【背景技術】
【０００２】
システムは、通常、異なる種類の情報媒体を同時に提示出来れば、マルチメディア能力を有すると見なされる。ユーザが複数の個別情報のストリームを統合することを可能にする特別なコンピュータ装置が開発されている。例えば、特許文献１は、コンピュータのオペレータが複数の情報ストリームを手動で同期させることを可能にしたシステムを開示している。また特許文献２は、コンピュータのメモリ内に記憶させたプログラムであって、同期信号を主情報ストリーム及び従情報ストリームに埋め込むことの出来るソフトウェアプログラムを開示している。しかしながら、上記のどのシステムも複数の独立した情報ストリームをリアルタイムで同期化させることは出来ない。すなわち、複数の情報媒体は情報が同期した形で表示されるまでは個別の同期化プロセスを受けねばならない。さらに、どのシステムも人対人のような双方向メッセージのごとくの簡易な伝送を十分サポート出来る程の柔軟性を持っていない。
【０００３】
現在の移動通信及び地上通信システムは、音声情報、データ情報及び時にはビデオ情報をリアルタイム又は略リアルタイムで通信することを可能にする。しかしながら、これらのシステムは一種類の情報媒体だけの通信を行うものであって、複数の情報ストリームの伝達は支援しない。即ち、現在の通信システムは、複数の情報媒体を同時に伝達させない。さらに、これらのシステムは第２の情報媒体を通信中の情報媒体と同期させる手段を有するものではない。
【特許文献１】米国特許第５，３４５，５５１号明細書
【特許文献２】米国特許第５，３３３，２９９号明細書
【発明の開示】
【発明が解決しようとする課題】
【０００４】
提示可能なフォーマットで複数の情報媒体を送達出来れば有益であろう。また、複数の情報媒体が同期命令と共に送達出来れば有益であろう。また、情報の符号化、伝達システム及び同期命令を、電話又はネットワーク接続コンピュータのような標準の通信システムに埋め込むことが出来れば有益であろう。また、少なくとも１つの情報ストリームを第２の情報ストリームと共にリアルタイムで受信し、同期して提供出来れば有益であろう。２つの情報ストリームが異なる媒体形式であればまた有益であろう。
【０００５】
本発明は、上述のごとき実情に鑑みてなされたもので、異なる媒体形式の独立したメッセージを同期して提示することができる移動局（受信機）を提供することを目的とする。
【課題を解決するための手段】
【０００６】
本発明の第１の技術手段は、少なくとも１つの基地局を含む無線通信システムにおける移動局であって、前記基地局から送信される第１及び第２の情報ストリーム並びに管理命令を受信する受信手段と、それぞれ独立する前記第１の情報ストリームと前記第２の情報ストリームを、前記管理命令に従って同期させて提示する同期提示手段と、を備え、前記受信手段は、前記第１及び第２の情報ストリーム並びに前記管理命令が付与された電子メールを受信することを特徴としたものである。
【０００７】
第２の技術手段は、第１の技術手段において、前記同期提示手段は、前記電子メールの開封に応答し、その電子メールに付与された管理命令に従って、前記第１の情報ストリームと第２の情報ストリームを同期させて提示することを特徴としたものである。
【０００８】
第３の技術手段は、第１の技術手段において、前記同期提示手段は、前記管理命令に基づいて遅延時間及び提示継続時間を設定し、その設定した遅延時間及び提示継続時間に従って、前記第１の情報ストリームと前記第２の情報ストリームとを同期させることを特徴としたものである。
【０００９】
第４の技術手段は、少なくとも１つの基地局を含む無線通信システムにおける移動局であって、前記基地局から送信される第１及び第２の情報ストリーム並びに管理命令を受信する受信手段と、それぞれ独立する前記第１の情報ストリームと前記第２の情報ストリームを、前記管理命令に従って同期させて提示する同期提示手段と、を備え、前記同期提示手段は、前記管理命令に基づいて遅延時間及び提示継続時間を設定し、その設定した遅延時間及び提示継続時間に従って、前記第１の情報ストリームと前記第２の情報ストリームとを同期させることを特徴としたものである。
【００１０】
第５の技術手段は、第１または第４の技術手段において、前記受信手段によって受信された第１及び第２の情報ストリーム並びに管理命令を記憶する記憶手段を備え、前記同期提示手段は、前記記憶手段にアクセスし、その記憶手段に記憶された前記第１の情報ストリームと前記第２の情報ストリームを、前記管理命令に従って同期させて提示することを特徴としたものである。
【００１１】
第６の技術手段は、第１または第４の技術手段において、前記受信手段によって受信された第２の情報ストリームを記憶する記憶手段を備え、前記同期提示手段は、前記受信手段によって受信された第１の情報ストリームと前記記憶手段から受け取った第２の情報ストリームとを、前記管理命令に従って同期させて提示することを特徴としたものである。
【発明の効果】
【００１２】
本発明によれば異なる媒体形式の独立したメッセージを調整するシステム（受信機）が提供され、これにより異なるメッセージを同期して提示することができる。メッセージは、独立したメッセージの調整プランを含めることが出来る通信フォーマットで配送される。少なくとも１つのリアルタイムメッセージが埋め込んだプランを用いて調整され、これにより、本発明を無線通信に応用することを可能にしている。代わりに、メッセージを作成し、その後で調整してユーザに提供することも可能で、これにより、本発明を電子メールに応用することが出来る。その他の変更及び実施態様も可能なことは当業者には明らかであろう。
【発明を実施するための最良の形態】
【００１３】
本発明は、第１の情報源からの情報を、少なくとも１つの第２の情報と共に同期して提供する方法を与えるものである。この方法は、ａ）第１及び第２の情報源の受信と管理とを制御する命令を受信するステップと、ｂ）第１情報源を受信するステップと、ｃ）第２情報源を受信するステップと、ｄ）上記ステップａで受信した命令に応じて第２情報源の情報を第１情報源の情報と同期させるステップと、ｅ）第１及び第２の情報源を同期させて提示するステップより成る。
【００１４】
情報源と管理命令は、種々の方法で伝達される。例えば、３つの異なる物理的なチャンネルまたは時間多重データグループが供給出来る。時分割多重アクセス（ＴＤＭＡ）システムの場合、これらのチャンネルは異なるスロットであり、スロットの機能は適応性があり、内部又はベース指向ソフトウェアコマンドに応答して変化する。符号分割多元接続（ＣＤＭＡ）システムの場合、３つのチャンネルは異なる直交拡散コードを持つ。３つのチャンネルは前記ステップａ〜ｃで管理命令と第１情報源及び第２情報源とを各々受信することを可能にする。
【００１５】
ステップｄ）は、第１情報源における１ビット又は第１情報源の他の好適に特定出来る部分を、第２情報源中のスタートビットに同期させる調整点として選択することを含む。ステップｅ）は第１情報源中の調整点を提供するために、第２情報源中のスタートビットを提供することを含む。則ち、第１情報源中の１点が同期のための基準として選択される。
【００１６】
情報ストリームの同期を微調整するために、ステップｄ）で、上記した第１情報源中の調整点と第２情報源中のスタートビット間の時間を規定するために或る遅延時間（ディレイ）を選択する。ステップｅ）は、第２情報源中のスタートビットの提供を第１情報源中の調整点の提供から遅延させる。同様にして、第２情報源の提供に対し或る継続時間を選択し、ステップｅ）では選択された時間内で継続して第２情報源を提供する。
【００１７】
代表的には、第１情報源が第１通信媒体タイプで、第２情報源が異なる第２通信媒体タイプである場合で、管理命令は第１通信媒体と第２通信媒体のタイプを確立するために用いられる。通信媒体のタイプは確立された通信媒体タイプに対応してステップｅ）で供給される。このようにして、本発明の同期方法は異なるタイプの通信媒体を統合することが出来る。代表的な例では、第１と第２の通信媒体タイプをオーディオ、オーディオ／ビデオ、ビデオ、テキスト、画像及びデータよりなるグループより選択する。例えば、ステップｄ）で第２情報源の音声情報を第１情報源のオーディオ／ビデオ情報と同期させ、音声をオーディオ／ビデオ情報に重ねる。
【００１８】
特に管理命令は、同期化に厳密に割り当てられるフィールドを含むことが出来る。これは、媒体間調整管理フィールドと呼ばれ、第１と第２の情報源の同期化を規定し、各情報源の通信媒体タイプ、各情報源のアイデンティティ、第２情報源中のビット数、第２情報源の提示長さ、第１情報源中の調整点及びその調整点と第２情報源の提示開始点間の遅延時間を規定する１連のサブフィールドを含んでいる。
【００１９】
本発明の方法は２つの情報ストリームの同期に限定されるものではない。本発明の実施例においては、ステップｃ1で第３の情報源を受信し、ステップａは第３情報源の受信を制御する管理命令の受信を含んでいる。ステップｄは第３情報源の情報を第１情報源の情報に同期させ、ステップｅで第１、第２及び第３情報源を同期させて提示する。
【００２０】
本発明は、ＩＳ−９５，Ｗ−ＣＤＭＡ，ＩＳ−１３６及びＧＳＭ規格による無線システムを含む（但しそれだけに制限されない）殆どの通信システムにおいて有効である。受信機は、少なくとも２つの独立した情報ストリームを同期させてリアルタイムで提示するものが供給される。この受信機は、少なくとも第１の変調情報を受信するための入力を有する少なくとも第１の通信チャンネルを含むものである。このチャンネルは、受信信号の情報部分をダウン変換し、復調し復号する。受信機では、情報が埋め込み管理命令と共に受信されるか、又は命令と情報が別々のチャンネルで受信される。命令プロセッサは管理命令を受け取ると、受信した命令に従って情報流管理コマンドを生成する。
【００２１】
同期装置は、第１通信チャンネルの出力に接続した第１の入力を有しており、情報ストリームを受信する。同期装置の第２入力は命令プロセッサの出力に接続しており、管理コマンドを受け取る。同期装置は、第１情報ストリームを第１通信チャンネルで受信しながら第１及び第２情報ストリームをリアルタイムで同期化する。第１の情報提示装置は、少なくとも同期装置の出力に接続した入力を有し、第１の受信器チャンネルによる第１情報ストリームの受信と同時にその第１情報ストリームを提示する。かように、２つの情報ストリームが同期化されリアルタイムで提示される。第２の提示装置は、同期装置の出力に接続した入力を有し、２つの情報ストリームが異なる通信媒体タイプである場合は第２通信媒体タイプを提示する。
【００２２】
図１は、本発明により情報を提示する方法を説明するためのフローチャートである。本発明は、マルチメディア、電子メ−ル及び無線通信において有用である。ステップＳ１で少なくとも１つの基地局を含む無線通信システムを供給する。本発明の方法は、例えば、移動局が、第１情報ストリームの提示を少なくとも第２情報ストリームの提示に同期させることを可能にするもので、本発明の幾つかの実施例に於いて、第１及び第２の情報源は基地局あるいは電子メールセンダあるいはメモリにより提供される。無線通信システムはＩＳ−９５，Ｗ−ＣＤＭＡ，ＩＳ−１３６及びＧＳＭより成るグループより選択される。
【００２３】
電子メールシステムの場合、例えば不動産仲買人は物件家屋の作成済み（サウンド付）ビデオクリップを１つの情報源として送る。不動産仲買人は、特定顧客に対し物件の特別な特徴を説明するための音声をそのビデオ部分にダビングすることを選択することによりこれを実行出来る。即ち、２つの独立した通信媒体に同期命令を付けて顧客に伝送し、顧客が電子メールを開くと、同期命令によって送り手（不動産仲買人）に設定されたタイミングでビデオと音声ダビングが自動的に提示される。
【００２４】
無線システムの場合、顧客（受信者）はビデオモニタのような補助表示装置を取り付けた電話器を有している。上述したように、物件家屋のビデオがデータとして伝送され、不動産仲買人（送り手）がビデオにおいて特徴を説明する音声を伝送する。顧客に対し情報の伝送と略同時にその情報が提示されるようにすることが出来るように、両方の情報と同期命令を伝送することは技術的にも１つのチャレンジである。送り手はビデオを先に送るか、或いは顧客の受信機中のメモリに保管されたビデオ記録にアクセスすることが出来る。次に、送り手は先に送ったビデオ情報の提示を実行させ、同期コマンドを生成しながらビデオに説明を加える。
【００２５】
ステップＳ２では、第１及び第２の情報源の受理と管理を制御する命令を受取る。無線システムでは、命令の管理フィールドが第１及び第２の情報ストリームの受信を制御するために受信される。この管理命令は、通信システムの特性に従い、オクテット、フィールド、パケット又はメッセージに分類される。以後、“管理命令”の用語は、かようなデータの不特定の集まりを含むものとする。ステップＳ３では第１の情報源を受信する。無線システムにおいて、第１の情報ストリームが受信される。以後の説明において、“情報ストリーム”と“情報源”の用語は互いに取り替え可能である。同様に、ステップＳ４では第２の情報源を受信する。無線システムにおいて、第２の情報ストリームが受信される。ステップＳ２，Ｓ３及びＳ４の順序は幾分恣意的である。本発明の幾つかの実施例において、情報は管理命令より前に受信され、他の幾つかの実施例では、情報は管理命令より後に受信される。さらに、情報と命令のセグメントが、通信システムにおける情報の性質又は管理上の配慮に応じ同期的又は順序を変えて受信される。
【００２６】
ステップＳ５では、ステップＳ２で受信した命令に応じて、第２情報源の情報を第１情報源の情報に同期させる。ステップＳ６は同期した第１及び第２の情報を提示する。この代わりに、ステップＳ５とＳ６を結合し、ステップＳ２で受信した命令に従い、第２情報ストリームを第１情報ストリームと同時に提示するようにしても良い。ステップＳ７では、２つの独立した情報源が同期化された結果が得られるか、又は２つの独立した情報ストリームもしくは情報源が連結され／又は前記の情報ストリームもしくは情報源がステップＳ２に付帯する調整プランを用いて調整された結果が得られる。
【００２７】
本発明の一実施例では、ステップＳ１で情報と管理命令を保管するためのメモリデバイスが与えられる。そして、ステップＳ５に続いてさらなるステップ（図示せず）が実行される。ステップＳ５（ａ）では同期した第１及び第２の情報源の情報をメモリに保管し、ステップＳ５（ｂ）ではステップＳ５（ａ）で保管した情報にアクセスする。かようにして、第１及び第２の情報源はメモリに記録後、同時に提示される。代わりに、メモリに情報と管理命令を保管するようにしてもよい。さらに、ステップＳ５に先行するステップ（図示せず）が実行される。ステップＳ４（ａ）では、ステップＳ３とＳ４で各々受信した第１及び第２の情報源と、ステップＳ２で受信した管理命令とをメモリに保管する。ステップＳ４（ｂ）では、ステップＳ４（ａ）で保管した情報と管理命令にアクセスする。かようにして、処理を行う前に、第１及び第２の情報源の情報を同期結合した情報源として記憶する。
【００２８】
本発明の一実施例においては、ステップＳ１で少なくとも３つの通信チャンネルが提供される。ここで使用した通信チャンネルの定義は非常に広範囲である。本発明の一実施例では、これらのチャンネルは搬送周波数帯域が異なる物理的に区別できるチャンネルである。或いは、これらのチャンネルは１チャンネルを時分割多重したものであってもよい。さらに、これらのチャンネルは１つの物理的チャンネルの異なるタイムスロットであってもよい。ＣＤＭＡシステムの場合、これらのチャンネルは、異なる直交拡散コードを付加して同時に１搬送波で伝送したデータである。本発明のいくつかの実施例では、チャンネルの定義は、時間多重スロットの特性が放送コマンド又はレシーバロジックに応じて変化するように適応変化する。これらのチャンネルもまた物理的要素、時間、周波数及び直交符号化されたメッセージの組み合わせである。本発明のいくつかの実施例では、これらのチャンネルは、開放型システム間相互接続（ＯＳＩ）及び総合サービスディジタル網（ＩＳＤＮ）のような階層的プロトコール構造の上位層として規定され、１つの物理チャンネルの時分割を実行するためにソフトウェア／ファームウェア中で実行される。本実施例における通信チャンネルは、全部で３つと規定されているが、情報ストリームと管理命令の任意の組み合わせは１つ、２つ又は３つのチャンネルで搬送される。ステップＳ２〜Ｓ４では３本の通信チャンネルで搬送された管理命令と第１及び第２の情報源の受信を含む。これらのチャンネルは規定済みである。
【００２９】
通常の通信にはデジタルフォーマットを用いるが、本発明の方法はアナログフォーマットにも適用することができる。通信がオクテット、パケット、フィールド、メッセージまたは他のグループで編成されるならば、情報伝送の最終的なベースは通常はビットである。現代の通信の本質は、アナログ総合移動電話サービス（analog Advanced Mobile Phone Service（ＡＭＰＳ））無線システムであっても受信プロセスの或る時点においてデータをデジタル化する受信装置を使用することにある。ステップＳ５は、第１情報源中の１ビットを第２情報源の情報の開始点に同期させる調整点として選択する処理を含んでいる。この調整点は、例えば、特定フィールド中の第１ビットの立ち上がりエッジとすることが出来る。ステップＳ６は、第１情報源中の調整点の提示に対応して第２情報源の開始点を提示する処理を含む。わかり易く説明するために、第２情報ストリーム中の開始点の位置は、システム中の通信参加者全員に公知のフォーマットに従う予め定めたビット位置であると仮定する。例えば、この開始ビットは第２情報ストリームのストリップ中に提示される情報の最初のビットである。或いは、この開始点は、提示される情報の実際のビットに先行又は後続するビットのいずれかである第２情報ストリーム中の１ビットである。本発明の幾つかの実施例の場合、開始点は管理命令により調整点の規定と同様にして規定される。第１情報ストリーム中の調整点と第２情報ストリーム中の開始点の正確な位置に係わりなく、２つの情報ストリーム中の基準が与えられれば、情報ストリームを同期させることが可能になる。
【００３０】
一般的に、情報ストリームと管理命令は、第１ビットが第２ビットに先行するように順次伝送される。しかしながら、本発明の方法は、多数のビットが同時に着信する平行データ伝送システムにも等しく有効に適用出来る。平行処理システムであっても、データグループは順次に取り扱われる。ステップＳ３，Ｓ４は、第１及び第２の情報源を各々順番に受信し、ステップＳ２は順次フィールドを管理命令として受信する。その後、ステップＳ５で第１情報源中のビット列中の調整ビットを選択する。
【００３１】
本発明の方法は、ステップＳ５に続くさらなるステップを含んでいる。ステップＳ５（ｃ）では、ステップＳ２で受信した管理フィールドからの命令に対応し、第１情報源中の調整点と第２情報源中の開始点またはビット間の時間間隔を規定する遅延時間（ディレイ）を選択する。ステップＳ６では、ステップＳ５（ｃ）で選択した遅延時間に従って、第２情報源中の開始点の提示を第１情報源中の調整点の提示から遅らせる。同期させた情報の提示においては、調整点を粗調節後遅延時間につき微調整する。
【００３２】
ステップＳ５（ｄ）では、ステップＳ２で受信した管理フィールドからの命令に従い、第２情報源を提示する継続時間（duration）を選択する。そしてステップＳ６は、ステップＳ５（ｄ）で選択された継続時間に従って第２情報源を提示する。開始点、遅延時間及び提示継続時間が判れば、第１情報ストリームに対する第２情報ストリームの同期を完全に記述できる。
【００３３】
本発明の幾つかの実施例では、ステップＳ１で供給された第１情報源は第１の予定通信媒体タイプであり、第２情報源は第２の予定通信媒体タイプである。次のステップはステップＳ４に続く。ステップＳ５（ｅ）では、ステップＳ２で受信した管理命令に従い、第１の通信媒体タイプを確立する。ステップＳ５（ｆ）ではステップＳ２で受信した管理命令に従い、第２の通信媒体タイプを確立する。ステップＳ６では、ステップＳ５（ｅ）で確立した通信媒体のタイプに対応して第１情報源の情報フィールドを提示し、ステップＳ５（ｆ）で確立した通信媒体のタイプに対応して第２情報源の情報フィールドを提示する。かようにして、この同期方法は異なるタイプの通信媒体を統合することが出来る。
【００３４】
ステップＳ１で提供される第１と第２の通信媒体のタイプは、オーディオ，オーディオ／ビデオ，ビデオ，画像，テキスト及びデータより成るグループから選択される。本発明の方法は、放送品質の音声と、先行技術に於いて公知の種々のボコーダ、適応差分パルス符号変調（ＡＤＰＣＭ）及びミュー法則パルス符号変調（μ−ｌａｗＰＣＭ）のような圧縮スキームを含んでいる。オーディオ／ビデオ媒体はフルモーション、スローモーション及びスロースキャンビデオを含んでいる。データ媒体は、画像、アニメーション、テキスト、動画、図表及び抽象画を含んでいる。本発明の幾つかの実施例の場合、ステップＳ１では、受信機と、第１の通信媒体タイプとしての、オーディオ／ビデオ情報と、第２の通信媒体タイプとしての音声情報とを提供する。
【００３５】
ステップＳ２〜Ｓ４は、受信機での管理命令と第１及び第２情報源フィールドとの受信を含んでいる。例えば、ステップＳ１でオーディオ／ビデオが第１通信媒体タイプとして、オーディオが第２通信媒体タイプとして各々提供される場合、ステップＳ５では、第２情報源のオーディオ情報を第１情報源のオーディオ／ビデオ情報に同期させる。かようにして、音声がオーディオ／ビデオ提示にダビングされる。
【００３６】
ステップＳ１は、各々唯一のメッセージ照合（ＩＤ）番号を有する各情報源による複数の情報ストリームを準備する。例えば、各情報ストリームには情報の前又は後ろにオクテットデータのＩＤ番号が与えられる。本発明の幾つかの実施例において、情報は管理命令が付けられて供給される。ＩＤ番号は管理チャンネルで供給され、各情報ストリームとＩＤ番号との相関関係はタイミング関係として実現される。ステップＳ２は、管理フィールド中の第１情報源メッセージのＩＤ番号と第２情報源メッセージのＩＤ番号を受けとる。ステップＳ３は、第１情報源メッセージのＩＤ番号で情報源を選択し、ステップＳ４では第２情報源メッセージのＩＤ番号で情報源を選択する。
【００３７】
図２は、ＩＳ−９５規格に従って編成された管理命令の１例（先行技術）を示している。ＩＳ−９５規格には明確に記述されているが、本発明の方法は任意の通信システムを等しく有効に使用でき、特にその通信システムのデータ及び管理命令を使用できる。チャンネル指定メッセージ中の先在フィールドネームと指定値の機能はＩＳ−９５（改訂版Ｂ）の第７.７.２.３.２.８項に規定されている。指定モード（ASSIGN_MODE）の先在値は“０００”から“１０１”であり、トラフィックチャンネル指定、ページングチャンネル指定、捕捉アナログシステム指定、アナログ音声チャンネル指定、拡大トラフィックチャンネル指定、拡大ページングチャンネル指定を表現している。同期制御の新しいフィールドを実行するために、“１０１”より大きい値、例えば“１１０”の新しいASSIGN_MODEを生成し、同期フィールドとして機能を規定する。
【００３８】
図３は、ＩＳ−９５規格に従い編成したチャンネル指定メッセージの１部である“媒体間調整フィールド”と呼ばれる同期フィールドの１例を示している。図１のステップＳ２では、管理フィールドの受信に対応し、チャンネル指定メッセージのようなメッセージ中の媒体間調整フィールドを特定する。かようにして、確立した通信管理プロトコールのコンテキストにおいて同期化が実現される。ステップＳ２は媒体間調整フィールドを受取り、第１情報源と第２情報源の同期を規定する。サブフィールド又は（図示しない）サブステップにより、第１及び第２の情報ストリーム、調整点、期間及び通信媒体タイプが特定される（図３参照）。
【００３９】
ステップＳ２（ａ）では第１サブフィールド（S1_MEDIUM_ID）を受取り、第１情報源の第１通信媒体タイプを規定する。図３のＩＳ−９５の例の場合、S1_MEDIUM_IDのフィールド長は１／２オクテットである。ステップＳ２（ｂ）では第２サブフィールド（S1_MESSAGE_ID）を受取り、第１情報源のＩＤ番号を規定し、これにより、特定情報列がステップＳ３において第１情報源であると特定される。ＩＳ−９５の例では、S1_MESSAGE_IDのフィールドは１オクテットの長さを有し、第１情報ストリームを特定する。ステップＳ２（ｃ）では、第３サブフィールドを受取り、第２情報源の第２通信媒体タイプを規定する。ＩＳ−９５の例の場合、S2_MEDIUM_IDのフィールド長は１／２オクテットであり、第２の情報ストリームの媒体タイプを規定する。
【００４０】
ステップＳ２（ｄ）では第４サブフィールドを受取り、第２情報源のＩＤ番号を規定し、これにより、特定情報列が第２情報源であると特定する。ＩＳ−９５の例では、S2_MESSAGE_IDのフィールドは１オクテットの長さを有しており、これによりステップＳ４において第２情報ストリームを特定する。ステップＳ２（ｅ）では第５サブフィールドを受取り、第２情報源の情報ストリームのサイズを規定する。代表的な例では、第２情報源中のビット数又はオクテット数が規定され、これにより、第２情報源の情報量が規定される。ＩＳ−９５の例では、“S2_LENGTH”フィールドは１オクテットの長さを有しており、第２情報ストリーム中のオクテット数を特定する。
【００４１】
ステップＳ２（ｆ）では第６サブフィールドを受取り、第２情報源の提示継続時間を規定する。ＩＳ−９５の例では、“S2_RUN_LENGTH”フィールドは１オクテットの長さを有しており、第２通信ストリームの提示継続時間を規定する。ステップＳ２（ｇ）では第７サブフィールドを受取り、第２情報源の同期が参照される第１情報源の調整点を規定する。ＩＳ−９５の場合、例えば、“COORD_PT_ID_S1”は１／２オクテットのフィールドであり、第２情報ストリームを第１情報ストリームに同期させるために第１情報ストリーム中の参照点を規定する。
【００４２】
ステップＳ２（ｈ）では第８サブフィールドを受取り、ステップＳ２（ｇ）で確立した調整点と第２情報源の情報ストリームの提示開始点間の遅延時間を規定する。ＩＳ−９５の例では、“START_OF_PLAY_DELAY”は１オクテット長のフィールドであり、調整点の提示から第２通信ストリームが第１情報ストリームと共に提示されるまでの遅延時間を特定する。
【００４３】
本発明の幾つかの実施例においては、３つまたはそれ以上の情報ストリームを同期化する。ステップＳ５にさらに１つのステップが先行する（図示しない）。
ステップＳ４（ｃ）は第３情報源の受信を含み、ステップＳ２は第３情報源の受信を制御する管理命令の受信を含む。ステップＳ５は、第３情報源中の情報を第１情報源中の情報に同期させ、ステップＳ６は第１、第２及び第３情報源の同期した情報を提示する。或いは、この代わりに、ステップＳ５で第３情報源の情報を第２情報源の情報と同期させ、ステップＳ６で第１、第２及び第３の情報源の同期した情報を提示する。
【００４４】
本発明の幾つかの実施例においては、１つの情報ストリームだけを伝送する。則ち、ユーザは既に第２情報ストリームを受信しているかメモリに保管している。この場合、第１情報ストリームを伝送して既に受信済みの情報ストリームに同期させる。ステップＳ１における情報源記憶用としてメモリを与え、ステップＳ４で第２情報源をメモリから受け取る。例えば、送り手は受手のメモリに記録されている画像を選択し、音声メッセージにビジュアルな背景を付加する。
【００４５】
本発明の一実施例において、少なくとも１つの情報ストリームが受信され、リアルタイムで提示される。或いは、少なくとも１つの情報ストリームがリアルタイムで受信されるが、ユーザには後刻、例えば、ユーザが電子メールをチェックする時に、同期した情報が提示される。本発明の他の実施例では、情報ストリームと命令は送り手により保管される。情報と命令は、ユーザのコマンドにより伝送され、同期され、ユーザに提示される。再び、ユーザが電子メールをチェックする場合を例に取って説明する。かようなシステムにおいては、ステップＳ２に先立つステップが必要である。ステップＳ１（ａ）は、情報源と管理命令を含む通信を基地局に伝送する信号を送出する。これにより、情報ストリームと管理命令が基地局に保管され、移動局がリアルタイムでそれを検索する。
【００４６】
図４は、情報の同期提示方法の他の実施例を示す図である。ステップＳ１１では第１情報源と少なくとも第２の情報源を供給する。ステップＳ１２では第１情報源を埋め込み管理命令と共に受け取る。ステップＳ１３では第２情報源を受け取る。ステップＳ１４では、ステップＳ１２で受け取った命令に従って第２情報源の情報を第１情報源の情報に同期させる。ステップＳ１５では、２つの独立したデータ源を付帯同期プランに従って調整した結果を得る。
【００４７】
図５は、少なくとも２つの独立した情報ストリームをリアルタイムで提示するために同期させる受信機１０の概略図である。受信機１０は、少なくとも第１の符号化情報を受信するためにライン２１に入力を有する少なくとも第１の通信チャンネル１１を含んでいる。ライン２１は無線通信に適用された本発明を実行するためのアンテナ３０に接続されている。或いは、コンピュータ／電子メールで実施した場合、ライン２１は、同軸ケーブル又は光ファイバケーブルのような物理的なライン４０に接続される。第１チャンネル１１は無線受信機回路又は変調搬送周波数、符号化デジタル信号又は処理のために編成したデータを受信する他の回路を示している。以後、第１チャンネル１１は情報を復号するチャンネルとする。第１チャンネル１１は復号情報ストリームを供給するライン２３に出力を有している。
【００４８】
命令プロセッサ１４はライン２２に入力を有し、管理命令を受け取る。命令プロセッサ１４は、情報ストリームの管理コマンドを管理命令に応じて生成し、生成した管理コマンドを供給する出力をライン２４に有する。
同期装置（synchronizer）１５は、ライン２３の第１入力を第１通信チャンネル１１の出力に接続して情報ストリームを受信し、その第２入力を命令プロセッサ１４のライン２４の出力に接続して管理コマンドを受け取る。同期装置１５は、管理命令に従い、第１情報ストリームを第１通信チャンネル１１より受信しまたは受取り、第１及び第２の情報ストリームを同期させ、ライン２５上の出力を通じて同期させた情報を供給する。
【００４９】
少なくとも第１提示ユニット１９は、ライン２５上の同期器の出力に接続する入力を有しており、第１受信チャンネル１１で第１情報ストリームを受信すると同時に第１情報ストリームを提示する。このようにして、２つの情報ストリームは同期化されリアルタイムで表示される。技術的に良く知られているように、リアルタイム通信システムにおいても、若干の処理の遅れがあり、情報は受信と正確に同時には提示されない。しかしながら、提示は略同時に行われ、ユーザは正確にリアルタイムであると受け取る。
【００５０】
代表的な例では、第１の情報ストリームは第１の通信媒体タイプであり、第２の情報ストリームは第２の通信媒体タイプである。第１提示ユニット１９は少なくとも第１通信媒体タイプを提示する。受信機１０はさらに第２提示ユニット２０を含み、このユニットはライン２５上の同期装置１５の出力に接続され第２通信媒体タイプを提示する。かようにして、第１と第２の情報ストリームは同時に表示される。
【００５１】
本発明の一実施例の場合、第１及び第２の情報ストリームと管理命令とは全て、各々第１、第２及び第３の通信チャンネル１１，１２，１３によって受信される図１を参照して記述したように、用語“チャンネル”の定義は広範で、ＣＤＭＡ直交符号化、時間多重並びに受信機１０によるデータの構成とその範疇並びにソフトウェアで使用の通信システムを包含している。
【００５２】
説明を容易・明瞭にするために、第１チャンネル１１、第２チャンネル１２及び第３チャンネル１３を物理的なチャンネルとして図５を参照して説明する。第１通信チャンネル１１と第２通信チャンネル１２の出力は同期装置１５の入力に接続され、復号情報を供給する。第３チャンネル１３の出力は命令プロセッサ１４の入力ライン２２に操作接続され復号管理命令を供給する。
【００５３】
同期装置１５は第１情報ストリーム中の１点を調整点として選択し、ライン２４で受信した情報ストリーム管理コマンドに従って、第２情報ストリームの提示開始点を第１情報ストリームと照合する。かようにして、第１情報ストリーム中の１点が同期化のための基準点として選択される。
【００５４】
同期装置１５はライン２４の管理コマンドに従って、第１情報ストリーム中の調整点から第２情報ストリームの同期提示開始点までの遅延時間を選択する。さらに、この同期装置１５はライン２４の管理コマンドに従って、第２情報ストリームの提示継続時間を選択する。
【００５５】
図１乃至図３を参照し前述したように、情報ストリームと管理命令は順次編成される。この時管理命令は媒体間調節フィールドの下記のサブフィールドを含む。
第１情報ストリームの通信媒体タイプを規定する第１サブフィールド；
特定情報ストリームが第１情報ストリームであると特定するために第１情報ストリームのメッセージ照合（ＩＤ） 番号を規定する第２サブフィールド；
第２情報ストリームの通信媒体タイプを規定する第３サブフィールド；
特定情報ストリームが第２情報ストリームであると特定するために第２情報ストリームのメッセージ照合番号を規定する第４サブフィールド；
第２情報ストリーム中の情報量を規定するために第２情報ストリームのサイズを規定する第５サブフィールド；
第２情報ストリームの提示時間を規定する第６サブフィールド；
第２情報ストリームの同期が照合される第１情報ストリーム中の調整点を規定する第７サブフィールド；および
第７サブフィールドで確立した調整点と第２情報ストリームの開始点との間の遅れ時間を規定する第８サブフィールド。
【００５６】
本発明の幾つかの実施例において、受信機１０はさらにライン２５の同期装置の出力に接続した入力を持つ第１メモリ１７を含んでおり、同期した情報ストリームを記憶する。又、第１メモリはライン２５の第１提示ユニット１９の入力に接続した出力を有し、第１及び第２の情報ストリームを保管後同期して提示する。代わりに、ライン２３の少なくとも第１チャンネル１１の出力に接続した入力を持つ第２メモリ１６を用いても良い。
【００５７】
本発明の幾つかの実施例において、ライン２３は、図５に示すように、第２チャンネル１２の出力をライン２３上の第２メモリ１６の入力に接続する。図５はまた、ライン２６上の第２メモリ１６の入力に接続した第３チャンネル１３の出力を示している。第２メモリ１６は、第１と第２の情報ストリームと管理命令を保管する。第２メモリ１６はまた、ライン２４の同期装置１５と命令プロセッサ１４の各々の入力に接続する出力を有しており、これにより、第１と第２の情報ストリームを保管後同期して提示することが出来る。第１及び第２の通信媒体タイプは、オーディオ、オーディオ／ビデオ、ビデオ、画像、テキスト及びデータより成るグループから選択される。例えば、第１の通信媒体タイプがオーディオ／ビデオ情報であり、第２の通信媒体タイプがオーディオ情報である。第１提示ユニット１９はスピーカ付のビデオモニタで、第１情報ストリームからのオーディオ／ビデオ情報に第２情報ストリームからのオーディオ情報を同期して提供する。これに代えて、オーディオ情報の第２情報ストリームを第２提示ユニット２０の分離スピーカで提供してもよい。
【００５８】
本発明の幾つかの実施例において受信機１０は、第３の情報ストリーム（図示しない第４物理チャンネル）からの情報を同期させる。その後、命令プロセッサ１４が第３情報ストリームの管理コマンドを生成し、同期装置１５が第３情報ストリームをライン２４の管理コマンドに従って第１と第２の情報ストリームに同期させる。
【００５９】
本発明の幾つかの実施例において受信機１０は、さらに、第２情報ストリームを保管する情報記憶ユニット又はライン２３に出力を持つ第３メモリ１８を含んでおり、これにより、記憶装置の情報がリアルタイム情報に同期される。
【図面の簡単な説明】
【００６０】
【図１】情報を同時に提示する方法を説明するフローチャートである。
【図２】ＬＳ９２規格に従い編成された管理命令の一例を示す図である。
【図３】ＩＳ−９５規格に従って編成されたチャンネル指定メッセージの一部であり媒体間調整管理フィールドと呼ばれる同期フィールドの１例を示す図である。
【図４】情報を同時に提示する方法を説明するフローチャートである。
【図５】少なくとも２つの独立した情報ストリームをリアルタイムで提示するために同期させる受信機を示す概略図である。
【符号の説明】
【００６１】
１０…受信機、１１…第１チャンネル、１２…第２チャンネル、１３…第３チャンネル、１４…命令プロセッサ、１５…同期装置、１６…第２メモリ、１７…第１メモリ、１８…第３メモリ、１９…第１提示ユニット、２０…第２提示ユニット、２１〜２６…ライン、３０…アンテナ、４０…ライン。
【図１】
0003701300.tif 000002
【図２】
0003701300.tif 000003
【図３】
0003701300.tif 000004
【図４】
0003701300.tif 000005
【図５】
0003701300.tif 000006